(57)【特許請求の範囲】
【請求項１】
筒形状のカーラ本体１の内部に、両端にマイクロ波導入用の開口４を有する熱良導性金属製の内筒３がこれの外周をカーラ本体１の内周と重合接触するよう納められており、
内筒３の側面にマイクロ波導入用の開口４ａが横長形状に設けられており、
内筒３の内部に蓄熱容器９が収容されており、
蓄熱容器９に誘電発熱型の蓄熱材６がこれの体積膨張吸収用の空間７を形成するように入れられおり、
蓄熱容器９の外周にリブ１０が設けられており、
リブ１０が内筒３の側面の開口４ａに係合し、蓄熱容器９がカートリッジ式になっていることを特徴とする誘電加熱式ヘアーカーラ。
【請求項２】
内筒３の両端の開口４が、形状記憶合金からなるコイルばね１３によって蓋１４で開閉自在になっている請求項１記載の誘電加熱式ヘアーカーラ。
【請求項３】
コイルばね１３が、Ti−Ni形状記憶合金である請求項２記載の誘電加熱式ヘアーカーラ。
【発明の詳細な説明】
【０００１】
【発明の属する技術分野】
本発明は、使用前に電子レンジなど誘電加熱装置で加熱されるヘアーカーラに関する。
【０００２】
【従来の技術】
この種のヘアーカーラとして、ポリエチレングリコールなどの誘電発熱型の蓄熱材を蓄熱容器に封入し、この蓄熱容器をカーラ本体に内蔵したものがある（文献不詳）。
【０００３】
【発明が解決しようとする課題】
しかるに、上記誘電加熱式ヘアーカーラでは電子レンジの中に入れられて加熱されると、蓄熱材が発熱して体積を膨張するため、この膨張を吸収するための空間が蓄熱容器の内部に形成されている。その蓄熱容器はカーラ本体の成形材料と同様にマイクロ波の吸収がほとんどなく透過するように誘電率の低いポリプロピレンなどで成形されている。そのため、使用時、蓄熱材が放熱するにつれて蓄熱容器の内部に空間が生じ、この空間部分では熱をカーラ本体に伝導付与できない事態が生じる。従って、カーラ本体上のカール髪に熱を均一に伝えることができず、加熱むらが生じやすいという問題があった。
【０００４】
本発明の目的は、上記のような問題を解消するためになされたもので、蓄熱材の熱をカール髪に均一に加えることのできる誘電加熱式ヘアーカーラを提供するにある。
【０００５】
【課題を解決するための手段】
本発明の誘電加熱式ヘアーカーラは、プラスチック製のカーラ本体１の内部に、両端にマイクロ波導入用の開口４を有する熱良導性金属からなる内筒３がこれの外周をカーラ本体１の内周と重合接触するよう納められる。その内筒３の内部に誘電発熱型の蓄熱材６が蓄熱容器９に入れられた状態で収容される。蓄熱容器９の内部には蓄熱材６の体積膨張吸収用の空間７を形成する。しかるときは、このヘアーカーラを電子レンジの中に入れると、蓄熱材６はカーラ本体１および蓄熱容器９を透過するマイクロ波を吸収して発熱する。ヘアーカーラの使用時は、熱良導性金属からなる内筒３が蓄熱材６の放熱をカーラ本体１の全体に均一に伝導し、カーラ本体１の全体が均一に加熱される。
前記内筒３の側面にマイクロ波導入用の開口４ａを設け、この開口４ａを介してマイクロ波を蓄熱材６により吸収しやすくする。
【０００６】
【発明の実施の形態】
本発明に係る誘電加熱式ヘアーカーラのカーラ本体１は、マイクロ波の吸収がほとんどなく透過するように誘電率の低いポリメチルペンテン（誘電率2.１２）、ポリプロピレン（誘電率2.０〜2.３）などのプラスチック材料で形成される。カーラ本体１の内周と重合接触するよう納められる内筒３の熱良導性金属材料としては、高周波に対して反射性を有するアルミニウムや銅などが挙げられる。内筒３の外周をカーラ本体１の内周に重合接触させるには、カーラ本体１の内周に内筒３を圧入嵌合させたり、インサート成形する。
【０００７】
内筒３に収容される誘電発熱型の蓄熱材６としては、カーラ本体１および内筒３を透過するマイクロ波を吸収して発熱するポリエチレングリコールなどの水溶性潜熱蓄熱材を用いる。この蓄熱材６は、予め蓄熱容器９に入れた状態で内筒３に収容する。  
【０００８】
【実施例】
（第１実施例）
図１および図２は本発明の第１実施例を示す。ポリメチルペンテンを成形材料としてカーラ本体１を円筒状に成形し、その外周には髪巻付け突起２を列設する。カーラ本体１にはアルミニウムからなる内筒３が圧入嵌合される。内筒３はマイクロ波導入用の開口４をその両端に設ける。内筒３の内部にはポリエチレングリコールからなる蓄熱材６を収容するが、その際蓄熱材６は予めポリメチルペンテン製の蓄熱容器９に体積膨張吸収用の空間７を形成するよう封入して内筒３の内部に圧入嵌合する。
上記構成のヘアーカーラを電子レンジの中に入れて加熱すると、使用時にカーラ本体１の外表面を７０〜８０℃に均一に加熱することができた。
【０００９】
この実施例では、蓄熱材６に蓄熱寿命があるので、寿命後簡単にこの蓄熱材６を交換できるように蓄熱容器９をカートリッジ式にしたものである。内筒３の筒周壁５の縦方向中央部にマイクロ波導入用の開口４ａを横長形状に形成する一方、カートリッジ式蓄熱容器９の外周にリブ１０を設け、このリブ１０を前記横長形状の開口４ａに係合させる。これにより内筒３に対するカートリッジ式蓄熱容器９の位置決め固定が容易に行える。  
【００１０】
【００１１】
（第２実施例）
図３および図４は本発明の第２実施例を示す。この実施例では内筒３の両端の開口４を、Ti−Ni形状記憶合金からなるコイルばね１３を併用してアルミニウムまたは銅製の蓋１４で開閉自在に塞ぐ。Ti−Ni形状記憶合金からなるコイルばね１３は密着状態で形状を記憶しており、常温では図６のように蓋１４がこれに設けてあるつまみ１５をつまんで開口４から外部へ引っ張り出される伸び状態にある。
いま、電子レンジの中に横倒し状態に入れると、マイクロ波がカーラ本体１を透過し、開口４を通って蓄熱材６に吸収される。すると蓄熱材６は発熱し、蓄熱材６の凝固点４３〜４６℃よりも若干高い５０℃前後でTi−Ni形状記憶合金からなるコイルばね１３はマルテンサイト相からオーステナイト相への逆変態を起こし、そのときに強い力を発生しながら元の密着状態に戻ろうとする。この回復力で蓋１４が引っ張られて開口４を閉じる（図４の状態）。従って、その閉じ状態を見て蓄熱材６が加熱されていることを確認できるし、またそれ以上に加熱してカーラ本体１が熱変形したり、溶融するのを防ぐことができる。更に使用時に、そのように蓋１４が閉じていると髪巻きに際し蓋１４が邪魔になることもなくて使い易い。
【００１２】
上記形状記憶合金としては、Cu−Al系あるいはCu−Zn系のものであってもよい。
上記蓋１４は凸部をカーラ本体１および内筒３の内部に向ける円錐形状に形成する。これによりマイクロ波は蓋１４の円錐斜面１４ａに当たり反射して開口４へ導入し易くなる。内筒３はカーラ本体１の内周にインサート成形され、この内筒３の内周には凹溝１６を設け、この凹溝１６に蓄熱容器９の外周に設けたリブ１０を嵌合することにより蓄熱容器９が内筒３内に位置決め固定される。その他の構成は第１実施例のものと同様である。
【００１３】
【００１４】
【００１５】
【００１６】
【００１７】
【発明の効果】
本発明の誘電加熱式ヘアーカーラによれば、蓄熱材６の放熱が熱良導金属からなる内筒３を介してカーラ本体１に伝導するようにしてあるので、蓄熱材６の体積膨張吸収用の空間７を形成してあるにもかかわらず、カーラ本体１を蓄熱材６で均一に加熱することができ、カール髪を均一に加熱セットできて有利である。
【図面の簡単な説明】
【図１】第１実施例を示す誘電加熱式ヘアーカーラの縦断面図である。
【図２】第１実施例の誘電加熱式ヘアーカーラの分解斜視図である。
【図３】第２実施例の誘電加熱式ヘアーカーラを加熱前の状態て示す縦断面図である。
【図４】第２実施例の誘電加熱式ヘアーカーラを加熱後の状態で示す縦断面図である。  
【符号の説明】
１  カーラ本体
３  内筒
４・４ａ  開口
６  蓄熱材
７  空間
９  蓄熱容器
【図１】
0003590155.tif 000002
【図２】
0003590155.tif 000003
【図３】
0003590155.tif 000004
【図４】
0003590155.tif 000005